(57)【特許請求の範囲】
【請求項１】
建物の外壁部材の内側に配設される部材と、該建物の外壁部材の内側に配設される部材に対して突出状に接合された突出部と、の接合部への浸水を防止するべく前記接合部の少なくとも上部を覆うように設置された防水部材上の水を排出可能な排水構造であって、
前記建物の外壁部材の内側に配設される部材は、主柱、間柱、隅柱、胴縁、面材の少なくとも一つであり、
前記突出部は、前記建物の外壁部材の内側において、前記建物の外壁部材の内側に配設される部材と入隅部を構成し、
前記建物の外壁部材と該建物の外壁部材の内側に配設される部材との間に浸入した水を外部へ排出するよう構成された排出口を有する排出通路部と、
前記防水部材上の水を前記排出通路部に誘導するよう構成された誘導通路部と、
を備える排水構造。

【請求項２】
前記建物の外壁部材は、シール部材を介して前記防水部材上に設置されるよう構成されており、
前記シール部材によって前記誘導通路部の少なくとも一部が形成されるよう構成されている
請求項１に記載の排水構造。
【請求項３】
前記排出通路部は、複数設けられており、
前記誘導通路部は、複数の前記排出通路部のうち前記排出口までの距離が最も短い最短排出通路部に前記水を誘導するよう構成されている
請求項１または２に記載の排水構造。
【請求項４】
前記誘導通路部は、前記排出通路部に向かって下り傾斜となる通路底面を有するよう構成されている
請求項１ないし３のいずれか１項に記載の排水構造。
【請求項５】
平板部と、該平板部に直交する方向に延在している横片部と、該横片部に対して直角方向に延在する縦片部と、を有する本体部と、 前記平板部に取り付けられた補助部と、前記横片部及び前記縦片部に取り付けられた主部と、を有する防水材とを備え、主柱、間柱、隅柱、胴縁、面材の少なくとも一つである建物の外壁部材の内側に配設される部材と、該建物の外壁部材の内側において該建物の外壁部材の内側に配設される部材と入隅部を構成する突出部との接合部の少なくとも上部を覆う防水部材上に設置した際に、前記平板部と前記主部の間に、該建物の外壁部材と該外壁部材の内側に配設される部材との間に浸入した水が流れる水路が形成される水路構成部材。  
【発明の詳細な説明】
【技術分野】
【０００１】
本発明は、外壁部材の内側に配設される部材と、当該外壁部材の内側に配設される部材に対して突出状に接合された突出部と、の接合部への浸水を防止するべく当該接合部の少なくとも上部を覆うように設置された防水部材上の水を排出可能な排水構造および水路構成部材に関する。
【背景技術】
【０００２】
特許文献１には、建物の外壁と、当該外壁に対して略直交するように取り付けられた突出壁と、の接合部を防水カバーによって覆うことで当該接合部へ雨水等が透水することを防止可能な防水構造が記載されている。当該特許文献１に記載の防水構造では、外壁と突出壁との接合部に防水カバーを設置するのみであるため、当該接合部の防水処理工程を容易に行うことができる。
【先行技術文献】
【特許文献】
【０００３】
【特許文献１】特開２００３−９６９３６号公報
【発明の概要】
【発明が解決しようとする課題】
【０００４】
しかし、上述した特許文献１に記載の防水構造では、防水カバーによって外壁と突出壁との接合部への雨水等が透水することを防止することができるものの、透水を防止された雨水等が防水カバー上に滞留して意図しない方向に流れて、予期しない箇所への透水や予期しない箇所からの漏水を生じる場合があり、防水性という点において、なお改良の余地がある。
【０００５】
本発明は、上記に鑑みてなされたものであり、防水部材上に水が滞留して予期せぬ箇所への透水や予期せぬ箇所からの漏水を良好に防止することを目的の一つとする。
【課題を解決するための手段】
【０００６】
本発明の排水構造および水路構成部材は、上述の目的を達成するために以下の手段を採った。
【０００７】
本発明に係る排水構造の好ましい形態によれば、建物の外壁部材の内側に配設される部材と、当該建物の外壁部材の内側に配設される部材に対して突出状に接合された突出部と、の接合部への浸水を防止するべく当該接合部の少なくとも上部を覆うように設置された防水部材上の水を排出可能な排水構造が構成される。当該排水構造では、当該建物の外壁部材の内側に配設される部材は、主柱、間柱、隅柱、胴縁、面材の少なくとも一つであり、当該突出部は、前記建物の外壁部材の内側において、前記建物の外壁部材の内側に配設される部材と入隅部を構成し、当該建物の外壁部材と当該建物の外壁部材の内側に配設される部材との間に浸入した水を外部へ排出するように構成された排出口を有する排出通路部と、防水部材上の水を排出通路部に誘導するように構成された誘導通路部と、を備えている。
【０００８】
ここで、本発明における「外壁部材の内側に配設される部材」とは、典型的には、主柱や間柱、隅柱、主柱や間柱、隅柱に取り付け固定された胴縁が該当するが、これらに取り付けられる面材を含む概念である。また、本発明における「防水部材」は、典型的には、防水カバーが該当するが、防水紙および防水テープを包含する。さらに、本発明における「外壁部材と当該外壁部材の内側に配設される部材との間に浸入」する態様としては、典型的には、外壁部材同士の接合部から外壁部材と当該外壁部材の内側に配設される部材との間に水が浸入する態様が該当する。また、本発明における「防水部材上」とは、防水部材自体の上面のみならず、防水部材上に設置された他の部材の上面を包含する概念である。
【０００９】
本発明によれば、例えば、外壁部材同士の接合部などから外壁部材と当該外壁部材の内側に配設される部材との間に浸入し、外壁部材の裏面を伝って防水部材上まで流れた水を誘導通路部によって排出通路部まで誘導する構成であるため、防水部材上に水が滞留して意図しない方向に流れて、予期せぬ箇所への透水や予期せぬ箇所からの漏水を良好に防止することができる。    
【００１０】
本発明に係る排水構造の更なる形態によれば、当該建物の外壁部材は、シール部材を介して防水部材上に設置されるように構成されている。そして、シール部材によって誘導通路部の少なくとも一部が形成されるように構成されている。
【００１１】
本形態によれば、外壁部材と防水部材との間をシールするシール部材によって誘導通路の少なくとも一部を形成する構成であるため合理的である。
【００１２】
本発明に係る排水構造の更なる形態によれば、排出通路部は、複数設けられている。そして、誘導通路部は、複数の排出通路部のうち排出口までの距離が最も短い最短排出通路部に水を誘導するように構成されている。
【００１３】
本形態によれば、通路長の最も短い最短排出通路部を介して水を排出することができるため、通路長の長い排出通路を介して水を排出する場合に比べて排出過程における漏水のリスクを低減することができる。
【００１４】
本発明に係る排水構造の更なる形態によれば、誘導通路部は、排出通路部に向かって下り傾斜となる通路底面を有するように構成されている。
【００１５】
本形態によれば、排出通路への誘導性を向上することができる。
【００１６】
本発明に係る水路構成部材の好ましい形態によれば、平板部と、当該平板部に直交する方向に延在している横片部と、当該横片部に対して直角方向に延在する縦片部と、を有する本体部と、当該平板部に取り付けられた補助部と、当該横片部及び当該縦片部に取り付けられた主部と、を有する防水材とを備え、主柱、間柱、隅柱、胴縁、面材の少なくとも一つである建物の外壁部材の内側に配設される部材と、当該建物の外壁部材の内側において当該建物の外壁部材の内側に配設される部材と入隅部を構成する突出部との接合部の少なくとも上部を覆う防水部材上に設置した際に、当該平板部と当該主部の間に、当該建物の外壁部材と当該外壁部材の内側に配設される部材との間に浸入した水が流れる水路が形成されるように構成される。
【発明の効果】
【００１７】
本発明によれば、、防水部材上に水が滞留して予期せぬ箇所への透水や予期せぬ箇所からの漏水を良好に防止することができる。
【図面の簡単な説明】
【００１８】
【図１】本発明の実施の形態に係る排水構造を適用した手すり壁１の施工状態を示す斜視図である。
【図２】排出通路構成部材９の構成の概略を示す斜視図である。
【図３】水路構成部材１１の構成の概略を示す斜視図である。
【図４】水路構成部材１１を上方から見た平面図である。
【図５】外壁部材３４同士の接合部から外壁部材３４と面材５との間の隙間に浸入した水が排出される様子を示す説明図である。
【図６】変形例の水路構成部材１１１を正面から見た正面図である。
【発明を実施するための形態】
【００１９】
次に、本発明を実施するための最良の形態を実施例を用いて説明する。
【実施例】
【００２０】
本発明の実施の形態に係る排水構造は、例えば、建物の外壁にバルコニーを突設するに際し、バルコニーを構成する手すり壁１と柱材３に取り付けられた面材５との接合部に雨水などが透水することを防止するべく接合部の上部を覆うように配置された防水カバー７上に滞留する雨水などを排水するために用いられる構造であり、図１に示すように、排出通路９０を構成する排出通路構成部材９と、防水カバー７上に配置された水路構成部材１１と、から構成されている。なお、本発明の実施の形態では、手すり壁１を挟んで図１の手前側（右側）がバルコニーの内側である。手すり壁１は、本発明における「突出部」の一例であり、柱材３および面材５は、本発明における「外壁部材の内側に配設される部材」の一例である。
【００２１】
防水カバー７は、図２に示すように、面材５に当接する平板部７ａと、手すり壁１に当接する鞍状部７ｂと、から構成されている。鞍状部７ｂは、正面視略逆Ｕ字状に形成されており、鞍状部７ｂの長手方向が平板部７ａに対して直交するようにその長手方向一端において平板部７ａに接続されている。防水カバー７は、本発明における「防水部材」の一例である。
【００２２】
防水カバー７は、図２に示すように、平板部７ａと鞍状部７ｂとの接続角部が手すり壁１と面材５との接合部に整合した状態となるように配置された後に、防水テープなどによって手すり壁１や面材５に取り付けられる。なお、手すり壁１や面材５には、図示はしないが防水紙がステープル等によって取り付けられており、したがって、防水カバー７は当該防水紙上に設置されることになる。
【００２３】
排出通路構成部材９は、上方から見た平面視略Ｌ字状に構成されたベース部９ａと、当該ベース部９ａに取り付けられた防水材９ｂと、から構成されており、図２に示すように、手すり壁１と面材５とにより構成される入隅部に設置される（図２には、当該入隅部のうちバルコニーの内側となる入隅部側のみが記載されている。）。
【００２４】
ベース部９ａは、長尺状に形成されており、手すり壁１の高さとほぼ同じ長さを有するように構成されている。防水材９ｂは、Ｌ字を構成するベース部９ａの各辺部それぞれに設けられており、ベース部９ａの長手方向に沿って取り付けられている。防水材９ｂは、例えば、エチレンプロピレンジエンゴム（ＥＰＤＭ）により成形される。
【００２５】
こうしてベース部９ａの各辺部それぞれに取り付けられた二つの防水材９ｂ間に挟まれた空間によって、図２に示すように、排出通路９０が構成される。より具体的には、図５に示すように、一方の防水材９ｂに当接させた状態で手すり壁１に取り付けられる外壁部材３２および他方の防水材９ｂに当接させた状態で面材５に取り付けられる外壁部材３４によって二つの防水材９ｂ間に挟まれた空間の上下端以外が閉じられることによって排出通路９０が構成される。排出通路９０は、本発明における「排出通路部」の一例であり、バルコニーの内側となる入隅部に配置された排出通路構成部材９によって構成される排出通路９０は、本発明における「最短排出通路」の一例である。
【００２６】
水路構成部材１１は、図３および図４に示すように、本体部１３と、防水材１５と、を備えている。本体部１３は、図３に示すように、平板部１３ａと、当該平板部１３ａに対して突出状に設けられた突出部１３ｂと、から構成されている。平板部１３ａは、正面視略倒れＬ字状の切欠きを有している。
【００２７】
突出部１３ｂは、図３に示すように、平板部１３ａの切欠きに沿った形状、即ち、平板部１３ａの長手方向（図３の左右方向）に水平に延在する横片部２３と、当該横片部２３に対して直角方向に延在する縦片部２５と、を有する正面視略倒れＬ字状に形成されており、当該切欠き縁から当該平板部１３ａに直交する方向に延在している。
【００２８】
防水材１５は、図３に示すように、平板部１３ａに取り付けられた補助部１７と、突出部１３ｂに取り付けられた主部１９と、から構成されている。補助部１７は、平板部１３ａの長手方向（図３の左右方向）の一端側、より具体的には、当該長手方向に直交する一組の辺部のうち切欠きの屈曲部から遠い方の辺部（長さの短い方の辺部、図３の左側の辺部）に沿って取り付けられている。防水材１５は、本発明における「シール材」の一例である。
【００２９】
主部１９は、図４に示すように、一端が補助部１７に接続された接続部１９ａと、一端が当該接続部１９ａの他端に接続され当該接続部１９ａに対して直角方向に延在する直線部１９ｂと、当該直線部１９ｂの他端に接続され接続部１９ａおよび直線部１９ｂに対して直角方向に延在する鉛直部１９ｃと、から構成されている。
【００３０】
接続部１９ａは、図４に示すように、補助部１７から横片部２３の突出方向（図４の下方向）に向かって当該横片部２３のほぼ中央部に至る長さを有している。直線部１９ｂは、突出部１３ｂにおける横片部２３の長手方向（図４の左右方向）長さとほぼ同じ長さを有している。鉛直部１９ｃは、突出部１３ｂにおける縦片部２５の延在方向（図３の上下方向）長さとほぼ同じ長さを有している。
【００３１】
ここで、防水材１５が本体部１３に取り付けられることによって、図３および図４に示すように、主部１９および平板部１３ａ間に樋状の水路９２が構成される。なお、突出部１３ｂによって水路９２の底面９２ａが構成されるため、水路９２の長手方向に沿う平面で切った断面形状は略倒れＬ字状となる。
【００３２】
こうして構成された水路構成部材１１は、図１に示すように、手すり壁１と面材５との接合部を覆うように手すり壁１および面材５に取り付けられた防水カバー７上に設置される。より具体的には、水路構成部材１１は、横片部２３が防水カバー７の鞍状部７ｂ上に載置され、かつ、縦片部２５が入隅部のうちバルコニーの内側となる入隅部に設置された排出通路構成部材９のベース部９ａ上に載置された状態となるように取り付けられる。
【００３３】
これにより、防水材１５における主部１９の鉛直部１９ｃは、図１に示すように、バルコニーの内側となる入隅部に設置された排出通路構成部材９の二つの防水材９ｂ間に対応する位置に配置され、当該二つの防水材９ｂのうち水路９２側に配置された防水材９ｂと延在方向（鉛直方向、図１の上下方向）においてオーバーラップするように配置される。即ち、水路９２と排出通路９０とが連通接続される。
【００３４】
なお、水路構成部材１１は、面材５を介して柱材３に取り付けられた胴縁６０に平板部１３ａを当接させて、当該平板部１３ａに釘などの締結部材を打ち込むことによって固定される。
【００３５】
こうして水路構成部材１１が防水カバー７上に設置された後に、外壁部材３２が図示しない支持具によって胴縁６２を介して手すり壁１に取り付けられると共に（図１および図５参照）、外壁部材３４が図示しない支持具によって胴縁６０を介して柱材３に取り付けられる（図１参照）。このとき、外壁部材３２は、図５に示すように、排出通路構成部材９の一方の防水材９ｂおよび水路構成部材１１の防水材１５の鉛直部１９ｃに当接され、外壁部材３４は、図１に示すように、水路構成部材１１の防水材１５の補助部１７、接続部１９ａおよび直線部１９ｂに当接される。
【００３６】
なお、本実施の形態では、外壁部材３４の長手方向が水平方向となるように取り付けられる横張り工法によって取り付けられており、外壁部材３４同士の接合部８２の一つが手すり壁１の幅方向（図１および図５の左右方向）のほぼ中央部に配されるように施工されている。即ち、外壁部材３４同士の接合部８２の一つが水路構成部材１１の平板部１３ａに対向する位置に配されている。
【００３７】
次に、こうして構成された排水構造の作用について図５を参照しながら説明する。外壁部材３４同士の接合部８２から浸入した雨水や、当該外壁部材３４の屋内側壁面に生じた結露水は、当該外壁部材３４の屋内側壁面を伝って手すり壁１に向かって鉛直下方向に流れる。鉛直下方向に向かって流れる雨水や結露水は、水路構成部材１１によって構成された水路９２によって受け止められる。
【００３８】
水路９２に受け止められた雨水や結露水は、図５の白抜き矢印Ｄ方向に向かって流れて排出通路９０に流れ込み（図１破線矢印を参照）、排出通路９０から図示しない水切り材などを介して外部に排出される。ここで、水路９２に受け止められた雨水や結露水は、防水材１５によって水路９２の外部に流出することを防止されているため、当該水路９２に受け止められた雨水や結露水が意図しない方向に流れて、予期せぬ箇所への透水や予期せぬ箇所からの漏水を良好に防止することができる。
【００３９】
しかも、水路９２が、手すり壁１と面材５とにより構成される入隅部に設置される排出通路構成部材９のうち、バルコニーの内側となる入隅部に設置された排出通路構成部材９によって構成される排出通路９０に連通接続される構成であるため、バルコニーの外側となる入隅部に設置された排出通路構成部材９によって構成される排出通路９０に連通接続される場合に比べて、排出口までの通路長が短いものとなり、排出過程における漏水のリスクを低減することができる。
【００４０】
なお、手すり壁１と面材５との接合部は、水路構成部材１１に加えて防水カバー７、防水紙（図示せず）および防水テープ（図示せず）によっても防水保護されているため、当該接合部への透水をより一層確実に防止することができる。
【００４１】
本実施の形態では、防水カバー７上に設置される本体部１３に防水材１５を取り付けることによって水路９２を構成したが、これに限らない。例えば、防水カバー７上に直接防水材１５を取り付けることによって水路９２を構成しても良い。
【００４２】
本実施の形態では、バルコニーを構成する手すり壁１と柱材３に取り付けられた面材５との接合部に雨水などが透水することを防止するべく接合部の上部を防水カバー７で覆う構成としたが、当該接合部は防水紙および防水テープのみによって防水されている構成でも良い。この場合、当該防水紙および防水テープ上に水路構成部材１１を配置すれば良い。
【００４３】
本実施の形態では、水路９２の底面９２ａを構成する突出部１３ｂのうち横片部２３は水平方向に延在する構成としたが、図６の変形例の水路構成部材１１１に例示するように、水路９２の底面９２ａを構成する突出部１３ｂのうち横片部１２３は、排出通路９０に向かって下り傾斜を有する構成としても良い。この場合、防水材１５における主部１９の直線部１１９ｂも排出通路９０に向かって下り傾斜を有する構成となる。
【００４４】
本実施の形態では、バルコニーの内側となる入隅部側に配置された排出通路構成部材９によって構成される排出通路９０に水路９２を連通接続する構成としたが、これに限らない。例えば、当該排出通路９０よりも通路長の短い最短排出通路を有する場合には、当該最短排出通路に水路９２を連通接続する構成としても良い。あるいは、バルコニーの外側となる入隅部側に配置された排出通路構成部材９によって構成される排出通路９０に水路９２を連通接続する構成としても構わない。
【００４５】
本実施形態は、本発明を実施するための形態の一例を示すものである。したがって、本発明は、本実施形態の構成に限定されるものではない。
【符号の説明】
【００４６】
１          手すり壁（突出部）
３          柱材（外壁部材の内側に配設される部材）
５          面材（外壁部材の内側に配設される部材）
７          防水カバー（防水部材）
７ａ        平板部
７ｂ        鞍状部
９          排出通路構成部材
９ａ        ベース部
９ｂ        防水材
１１        水路構成部材（水路構成部材）
１３        本体部
１３ａ      平板部
１３ｂ      突出部
１５        防水材（シール部材）
１７        補助部
１９        主部
１９ａ      接続部
１９ｂ      直線部
１９ｃ      鉛直部
２３        横片部
２５        縦片部
６０        胴縁
６２        胴縁
８２        接合部
９０        排出通路（排出通路部）
９２        水路（誘導通路部）
９２ａ      底面（通路底面）
１１１      水路構成部材（水路構成部材）
１１９ｂ    直線部
１２３      横片部
【図１】
0006694257.tif 000002
【図２】
0006694257.tif 000003
【図３】
0006694257.tif 000004
【図４】
0006694257.tif 000005
【図５】
0006694257.tif 000006
【図６】
0006694257.tif 000007